(57)【要約】【課題】  一端が各綜絖枠にそれぞれ連結され、他端が共通の揺動レバーに連結される複数のロッドの他端側のカバーにおいて、耐久性を向上する。【解決手段】  一端がそれぞれの綜絖枠に連結され他端が揺動レバーの揺動中心から揺動半径方向に互いに離間して揺動レバーに取り付けられた複数のロッドのための織機の開口装置のカバーは、ベースと、前記ロッドの他端がそれぞれ挿通される複数の挿通口部と、各挿通口部にそれぞれ対応する複数の蛇腹状部分から形成される変形部とを含み、挿通口部の配列方向について端部側に位置する少なくとも１つの挿通口部に対応する蛇腹状部分の長さは、前記配列方向の断面において前記端部側の長さが内側の長さよりも大きい。【選択図】図１
2006225779.tif 000002
【特許請求の範囲】
【請求項１】
一端がそれぞれの綜絖枠に連結され他端が揺動レバーの揺動中心から揺動半径方向に互いに離間して揺動レバーに取り付けられた複数のロッドのための開口装置のカバーにおいて、ベースと、前記ロッドの他端がそれぞれ挿通される複数の挿通口部と、各挿通口部にそれぞれ対応する複数の蛇腹状部分から形成される変形部とを含み、挿通口部の配列方向について端部側に位置する少なくとも１つの挿通口部に対応する蛇腹状部分の長さは、前記配列方向の断面において前記端部側の長さが内側の長さよりも大きいことを特徴とする織機の開口装置のカバー。
【請求項２】
複数の前記蛇腹状部分は、各挿通口部に対応して互いに独立して設けられる複数の独立蛇腹状部分を含むことを特徴とする請求項１記載の織機の開口装置のカバー。
【請求項３】
複数の前記蛇腹状部分は、ベースに繋がる１つの蛇腹状座と、該蛇腹状座にそれぞれ繋がって形成される複数の前記独立蛇腹状部分とから形成され、蛇腹状座と各独立蛇腹状部分とがそれぞれの挿通口部に対応することを特徴とする請求項２記載の織機の開口装置のカバー。
【請求項４】
前記配列方向について端部側に位置する少なくとも１つの挿通口部に対応する前記独立蛇腹状部分は、挿通口部が前記配列方向について中央位置よりも内側に配設されていることを特徴とする請求項２または請求項３記載の織機の開口装置のカバー。
【発明の詳細な説明】
【技術分野】
【０００１】
本発明は、開口装置において、一端がそれぞれの綜絖枠に連結され、他端が共通の揺動レバーに連結される複数のロッドの他端側の軸受け部材を外部から保護するカバーに関する。
【背景技術】
【０００２】
織機の開口装置の綜絖枠は、織り幅方向に離間した少なくとも２箇所で、上下方向に延在するロッドと連結されて開口運動を行う。そのようなロッドの一端が綜絖枠に連結され、他端が揺動レバーに連結され、揺動軸が、揺動レバー、ロッドを介して駆動する開口装置がある。ロッドの両端は、球面軸受け等の軸受け部材を介して綜絖枠や揺動レバーと相対回転可能に連結されており、揺動軸は、ロッドに対して織前側に在って織り幅方向に延在し、クランク機構等によって駆動される（例えば、特許文献１参照）。
【０００３】
特許文献１の公報では、複数の綜絖枠にそれぞれ一端が連結される複数のロッドが設けられ、複数ロッドの他端は、共通の揺動レバーに連結されており、揺動レバーの揺動中心、即ち揺動軸の軸芯から揺動半径方向に互いに離間して配設されて、それぞれの綜絖枠に対応している。揺動レバーの運動に伴って、連結されている複数の綜絖枠は、一斉に開口運動を行う。カバーが設けられて、ロッドの端部が水、風綿、塵埃等から保護されるのが望ましく、錆や摩耗によって、軸受け部材が機能を失うことを避けることができる。
【０００４】
図６は、複数のロッドの前記他端を保護する従来のカバーの一例であり、揺動レバーに保持される。図６のＡは上方から視た平面図であり、Ｂは断面図を示す。揺動レバーは、後述の図１に記載の形状をとり、複数ロッドとの連結部は、上面と下面が開放されて４つの側壁からなる上方から視て長方形の枠体で形成され、複数のロッド端とそれらの軸受け部材の収容空間を有する。揺動レバーは、連結部がアーム部を介して基部に繋がって揺動軸に連結されている。カバーは、弾性変形部材、一般にはゴムで形成され、カバーのベースが揺動レバーの連結部の上端に設けられたツバに嵌め込まれて保持されると共に、ベースから突出する蛇腹状部分を複数（図６は３つ）有する変形部と、それぞれの蛇腹状部分の端部に繋がるロッドの挿通口部とを備える。複数のロッドの軸受け部材の軸受け部が、アーム部側の側壁と直交する両側壁に、ボルトとナットを介してそれぞれ支持されると共に、軸受け部材のロッド連結部の一端に軸受け部が支持されて、実質、ロッド連結部がロッドの他端を構成し、それぞれの挿通口部を介して、各ロッドと連結される。
【特許文献１】特開昭５６−２０６３５号（第１図、第２図）
【発明の開示】
【発明が解決しようとする課題】
【０００５】
揺動軸の揺動運動に伴って、各軸受け部材の軸受け部とロッドの他端は、揺動軸と直交する面を相対移動し、そのため、カバーにおいて、各挿通口部とベースは、挿通口部の配列方向に相対変位する。カバーは、変形部の各蛇腹状部分が、挿通口部の配列方向に相対変位する、即ち変形することにより、各挿通口部とベースとの相対変位を許容している。しかし、複数のロッドは、揺動レバーと綜絖枠との間を互いに平行に配設されおり、揺動運動に伴って、複数のロッドは平行状態を維持し間隔を維持しながら上下動している。そのため、挿通口部の配列方向について端部側に位置する挿通口部に対応する蛇腹状部分は、端部側の方が内側よりも、早急に亀裂が生じる。詳細には、ベース端部側が、揺動レバーによって十分に支持されているのに対し、端部側の蛇腹状部分と該部分に隣接する中央側の蛇腹状部分との間のベース中央側は、揺動レバーによって十分に支持されていないので、端部側の蛇腹状部分において、端部側はベース端部側によって拘束され容易に変位できないのに対し、蛇腹状部分の内側はベース中央側によって拘束されることなく容易に変位可能なことによる。更に、複数のロッドは平行状態を維持し間隔を維持しながら移動するので、前記蛇腹状部分の内側には、ロッドの平行状態が崩れて複数のロッドが接近することによる圧縮力、およびロッドの平行状態が崩れて離間することによる引張力が、殊更、加わらないことによる。従って、挿通口部の配列方向について端部側に位置する挿通口部に対応する蛇腹状部分は、内側は大きな応力が加わらないのに対し、端部側は、大きな応力が繰り返し加わって、早急に亀裂が生じるので、カバーは頻繁な交換を必要とする。
【０００６】
以上の従来技術の問題点を鑑み、本発明の目的は、一端が各綜絖枠にそれぞれ連結され、他端が共通の揺動レバーに連結される複数のロッドの他端側のカバーにおいて、耐久性を向上することにある。
【課題を解決するための手段】
【０００７】
本発明は、上記目的を達成するためになされたものであって、織機の開口装置のカバーは、一端がそれぞれの綜絖枠に連結され他端が揺動レバーの揺動中心から揺動半径方向に互いに離間して揺動レバーに取り付けられた複数のロッドのためのカバーであって、ベースと、前記ロッドの他端がそれぞれ挿通される複数の挿通口部と、各挿通口部にそれぞれ対応する複数の蛇腹状部分から形成される変形部とを含み、挿通口部の配列方向について端部側に位置する少なくとも１つの挿通口部に対応する蛇腹状部分の長さは、前記配列方向の断面において前記端部側の長さが内側の長さよりも大きい（請求項１）。
【０００８】
複数の前記蛇腹状部分は、各挿通口部に対応して互いに独立して設けられる複数の独立蛇腹状部分を含む（請求項２）。
【０００９】
複数の前記蛇腹状部分は、ベースに繋がる１つの蛇腹状座と、該蛇腹状座にそれぞれ繋がって形成される複数の前記独立蛇腹状部分とから形成され、蛇腹状座と各独立蛇腹状部分とがそれぞれの挿通口部に対応する（請求項３）。
【００１０】
前記配列方向について端部側に位置する少なくとも１つの挿通口部に対応する前記独立蛇腹状部分は、挿通口部が前記配列方向について中央位置よりも内側に配設されている（請求項４）。
【発明の効果】
【００１１】
カバーは、揺動レバーの揺動に伴って、ベースと各挿通口部が、挿通口部の配列方向に相対移動し、蛇腹状部分は変形して対応する挿通口部のベースとの相対移動を許容する。挿通口部の配列方向について端部側に位置する少なくとも１つの挿通口部に対応する蛇腹状部分、即ち、揺動中心側端部に位置する挿通口部に対応する蛇腹状部分と、反揺動中心側端部に位置する挿通口部に対応する蛇腹状部分のうち、両蛇腹状部分、またはいずれか一方の蛇腹状部分は、端部側の長さが内側の長さよりも大きいので、蛇腹状部分の端部側は容易に前記配列方向に変形できる。この理由は、蛇腹状部分は、その屈曲角が変化することにより挿通口部の変位を許容しているが、長いと、屈曲角の大きな変化を必要としないので、容易に変形できることによる。従って、従来、大きな応力が繰り返して加わり、頻繁に破損していた蛇腹状部分の端部側は、大きな応力が加わらない。そのため、カバーは全体として耐久性が向上する。
【００１２】
また、複数の前記蛇腹状部分は、各挿通口部に対応して互いに独立して設けられる複数の独立蛇腹状部分を含むと、各挿通口部は、それぞれの独立蛇腹状部分に繋がって設けられて、ベースとの相対移動が各挿通口部毎に許容される。
【００１３】
また、複数の前記蛇腹状部分は、ベースに繋がる１つの蛇腹状座と、該蛇腹状座にそれぞれ繋がって形成される複数の独立蛇腹状部分とから形成され、蛇腹状座と各独立蛇腹状部分とがそれぞれの挿通口部に対応すれば、複数の独立蛇腹状部分が共通の蛇腹状座にそれぞれ独立して繋がるので、挿通口部の配列方向について端部側に位置する挿通口部に対応する蛇腹状部分の長さは、前記配列方向の断面において、前記端部側の長さが、内側の長さよりも蛇腹状座の分だけ確実に長くなる。
【００１４】
更に、前記配列方向について端部側に位置する少なくとも１つの挿通口部に対応する前記独立蛇腹状部分が、挿通口部が前記配列方向について中央位置よりも内側に配設されれば、挿通口部の配列方向について端部側に位置する挿通口部に対応する蛇腹状部分の長さは、前記配列方向の断面において、前記端部側の長さが、内側の長さよりも確実に長くなる。
【発明を実施するための最良の形態】
【００１５】
以下、本発明の実施の形態を図面に基づいて説明する。図１、図２は本発明の第１の実施例のカバー３０を示し、図１はカバー３０が開口装置に装着された状態を示し、織機の右側から視た側面図で切断面を一部含み、図２はカバー３０の拡大図である。
【００１６】
本実施例の開口装置は、互いに上下に離間する２つの揺動軸、即ち第１揺動軸１と第２揺動軸２とを備え、揺動軸１、２は、図示しないクランク機構等を介して駆動される。第１揺動軸１、第２揺動軸２は、織り幅方向に延在しており、揺動軸１、２には、複数の第１揺動レバー３および複数の第２揺動レバー４の基部３ｃ、４ｃが、織り幅方向に離間する位置でボルト２０とキー２１を介して固定される。なお、第１揺動レバー３と第２揺動レバー４は、互いに干渉しないように織り幅方向にずれて固定される。揺動レバー３、４の複数のロッド５、６、７、８、９、１０との連結部３ａ、４ａが、基部３ｃ、４ｃから送出方向（図１において右方向）に延在するアーム部３ｂ、４ｂを介して、基部３ｃ、４ｃに繋がっている。連結部３ａ、４ａは、上面と下面が開放されて揺動軸側壁、反揺動軸側壁、右側壁及び左側壁からなる上方から視て長方形の枠体で形成され、内側に複数の軸受け部材１１の収容空間を有する。ゴム製のカバー３０が連結部３ａ、４ａに装着されており、カバー３０のベース３１が、連結部３ａ、４ａの上端に形成されるツバに嵌め込まれて保持される。カバー３０は、蛇腹状部分を有しベース３１に繋がる変形部３２と、変形部３２に繋がって形成される３つの挿通口部３３とを有し、３つの挿通口部３３の配列は、揺動軸１、２の軸芯から半径方向に離間して配設される複数のロッド５、６、７および複数のロッド８、９、１０に対応している。軸受け部１１ａとロッド連結部１１ｂとからなる軸受け部材１１が設けられている。軸受け部１１ａが、揺動レバー３、４の連結部３ａ、４ａの右側壁と左側壁に、ボルト２２とナット２３を介してそれぞれ支持され、ロッド連結部１１ｂは一端が軸受け部１１ａに繋がり、他端が、それぞれの挿通孔部３３から外部に出て、図示しない綜絖枠に一端が連結されるロッド５、６、７、８、９、１０の他端に螺合されて連結されており、ロッド連結部１１ｂは、実質、ロッド５、６、７、８、９、１０の他端をそれぞれ形成している。揺動軸１、２の揺動運動に伴って、各軸受け部材の軸受け部１１ａと５、６、７、８、９、１０の他端は、揺動軸１、２と直交する面を相対移動し、そのため、カバー３０において、各挿通口部３３とベース３１は、挿通口部３３の配列方向に相対変位する。カバー３０は、変形部３２の蛇腹状部分が、挿通口部３３の配列方向に変位する、即ち変形することにより、各挿通口部３３とベース３１との相対変位を許容している。
【００１７】
第１揺動レバー３に連結される第１ロッド５、第３ロッド６およ第５ロッド７は、織前側から数えて奇数番目の図示しない綜絖枠に連結される。即ち、第１ロッド５は第１綜絖枠に、第３ロッド６は第３綜絖枠に、第５ロッド７は第５綜絖枠に、それぞれ連結される。また、第２揺動レバー４に連結される第２ロッド８、第４ロッド９およ第６ロッド１０は、織前側から数えて偶数番目の図示しない綜絖枠に連結される。即ち、第２ロッド８は第２綜絖枠に、第４ロッド９は第４綜絖枠に、第６ロッド１０は第６綜絖枠に、それぞれ連結される。図３は、第１揺動レバー３に連結される奇数番目の綜絖枠が上開口位置に、第２揺動レバー４に連結される偶数番目の綜絖枠が下開口位置に、それぞれ位置する状態を示す。
【００１８】
図２に示すように、カバー３０は、ベース３１、変形部３２および３つの挿通口部３３とを備える。蛇腹状座３２ａがベース３１に繋がると共に、３つの独立蛇腹状部分３２ｂａ、３２ｂｂ、３２ｂｃが、互いに独立して蛇腹状座３２ａに繋がっており、変形部３２は、蛇腹状部分として、蛇腹状座３２ａと、蛇腹状座３２ａにそれぞれ繋がる３つの独立蛇腹状部分３２ｂａ、３２ｂｂ、３２ｂｃとを有する。３つの挿通口部３３が、独立蛇腹状部分３２ｂａ、３２ｂｂ、３２ｂｃの端部にそれぞれ繋がって形成され、開口する。
【００１９】
３つの独立蛇腹状部分３２ｂａ、３２ｂｂ、３２ｂｃのうち、ベース３１の端部側に位置する独立蛇腹状部分、即ちベース３１の右端部側に位置する独立蛇腹状部分３２ｂａ、およびベース３１の左端部側に位置する独立蛇腹状部分３２ｂｃは、共に挿通口部３３が、中央位置よりも挿通口部３３の配列方向における内側に寄って、独立蛇腹状部分３２ｂｂに接近しており、図２のＢに示す断面図のように、挿通口部３３の配列方向の断面において、挿通口部３３から蛇腹状座３２ａに繋がるまでの蛇腹状部分の長さは、端部側の長さが内側の長さよりも長い。更に、独立蛇腹状部分３２ｂａおよび独立蛇腹状部分３２ｂｃの端部側は、蛇腹状座３２ａに繋がっている。このように、ベース３１の端部側に位置する挿通口部３３に対応する蛇腹状部分は、端部側の長さが、独立蛇腹状部分３２ｂａ、３２ｂｃにおいて長いほか、蛇腹状座３２ａの長さが更に加わるので、内側の長さよりも十分に長い。
【００２０】
このため、図１に示すように、揺動レバー３、４が上方位置に在っても、下方位置に在っても、変形部３２のベース３１の端部側に位置する挿通口部３３に対応する蛇腹状部分は、従来、早急に破損していた端部側が、挿通口部３３の配列方向において容易に変形可能となり、加わる応力が小さくなる。これによりカバー３０は、全体として耐久性が向上する。
【００２１】
揺動レバー３、４の連結部３ａ、４ａの下端部に底蓋等を設けてもよく、軸受け部材１１の軸受け部１１ａは、カバー３０によって、上方からの水、風綿、塵埃等の侵入から保護されるほか、底蓋等によって、下方からの水、風綿、塵埃等の侵入からも保護される。
【００２２】
本実施例の開口装置は６つの綜絖枠を有し、第１揺動レバー３および第２揺動レバー４は、織前から数えてそれぞれ奇数番目および偶数番目の綜絖枠に連結されているが、第１揺動レバー３および第２揺動レバー４は、そのままの形状で４つの綜絖枠を有する開口装置に用いられてもよい。その場合、第１揺動レバー３および第２揺動レバー４に装着されるカバー３０は、３つの独立蛇腹状部分３２ｂａ、３２ｂｂ、３２ｂｃのうち、ベース３１の端部側に位置する独立蛇腹状部分３２ｂａ、３２ｂｃに繋がる挿通口部３３のいずれかを開口しない、即ち挿通口部３３を設けないようにしてもよく、軸受け部材１１の軸受け部１１ａを保護する。これにより、カバー３０は、ベース３１および変形部３２を同一形状のまま、４つの綜絖枠を有する開口装置、および６つの綜絖枠を有する開口装置に、共通に用いることができる。
【００２３】
図３は本発明の第２の実施例のカバー４０を示し、図３のＡは上方から視た平面図、図３のＢは断面図をそれぞれ示す。カバー４０は、ベース４１、変形部４２および３つの挿通口部４３とを備える。変形部４２は、ベース４１にそれぞれ繋がる３つの独立蛇腹状部分４２ａ、４２ｂ、４２ｃを有する。３つの挿通口部４３が、独立蛇腹状部分４２ａ、４２ｂ、４２ｃの端部にそれぞれ繋がって形成され、開口する。
【００２４】
独立蛇腹状部分４２ａ、４２ｂ、４２ｃのうち、ベース４１の右端部側に位置する独立蛇腹状部分４２ａ、およびベース４１の左端部側に位置する独立蛇腹状部分４２ｃは、共に挿通口部４３が、中央位置よりも挿通口部４３の配列方向において内側に寄って、独立蛇腹状部分４２ｂに接近しており、図３のＢに示す断面図のように、挿通口部４３からベース４１に繋がるまでの断面は、端部側の長さが内側の長さよりも長い。従って、第１の実施例のカバー３０と同様に、カバー４０は耐久性が向上する。
【００２５】
図４は本発明の第３の実施例のカバー５０を示し、図４のＡは上方から視た平面図、図４のＢは断面図をそれぞれ示す。カバー５０は、ベース５１、変形部５２および３つの挿通口部５３とを備える。変形部５２は、蛇腹状部分として、ベース５１に繋がる蛇腹状座５２ａと、蛇腹状座５２ａにそれぞれ繋がる３つの独立蛇腹状部分５２ｂａ、５２ｂｂ、５２ｂｃとを有する。３つの挿通口部５３が、独立蛇腹状部分５２ｂａ、５２ｂｂ、５２ｂｃの端部にそれぞれ繋がって形成され、開口する。
【００２６】
３つの独立蛇腹状部分５２ｂａ、５２ｂｂ、５２ｂｃのうち、独立蛇腹状部分５２ｂａ、５２ｂｃは、蛇腹状座５２ａにおいて共に端部に位置している。そのため、ベース５１の端部側に位置する挿通口部５３に対応する蛇腹状部分は、端部側の長さが、蛇腹状座５２ａの長さ分、内側より長い。従って、前述の実施例と同様に、カバー５０は耐久性が向上する。
【００２７】
図５は本発明の第４の実施例のカバー６０を示し、図５のＡは上方から視た平面図、図５のＢは断面図をそれぞれ示す。カバー６０は、ベース６１、変形部６２および３つの挿通口部６３とを備える。変形部６２は、ベース６１にそれぞれ繋がる３つの独立蛇腹状部分６２ｂａ、６２ｂｂ、６２ｂｃと、独立蛇腹状部分６２ｂａ、６２ｂｃよりも端部側に位置して挿通口部６３の配列方向と直交する方向に延在、即ち揺動軸１、２の軸線方向に延在し、ベース６１に繋がる揺動軸線方向蛇腹状部分６２ａとを有する。
【００２８】
ベース６１の端部側に位置する挿通口部６３に対応する蛇腹状部分において、端部側の長さは、揺動軸線方向蛇腹状部分６２ａの分だけ、内側よりも長くなり、加わる応力が小さくなって、端部側の耐久性が向上する。即ち、独立蛇腹状部分６２ｂａ、６２ｂｃと揺動軸線方向蛇腹状部分６２ａとの間にベース６１の一部が介在するが、揺動軸線方向蛇腹状部分６２ａの挿通口部６３の配列方向変形に伴ってベース６１のその一部も変位するで、独立蛇腹状部分６２ｂａ、６２ｂｃの挿通口部６３は、ベース６１に対して容易に相対移動できる。従って、前述の実施例と同様に、カバー６０は耐久性が向上する。
【００２９】
上記のいずれの実施例においても、カバー３０、４０、５０、６０は、挿通口部３３、４３、５３、６３を３つ有しているが、挿通口部３３、４３、５３、６３を２つ、または４つ以上有してもよい。ベース３１、４１、５１、６１の端部側に位置する挿通口部３３、４３、５３、６３に対応する蛇腹状部分の端部側は、同様の効果を得る。
【００３０】
また、上記のいずれの実施例においても、変形部３２、４２、５２、６２は、ベース３１、４１、５１、６１の両端部側にそれぞれ位置する２つの挿通口部３３、４３、５３、６３に対応していたが、端部側に位置する１つの挿通口部３３、４３、５３、６３のみに対応してもよい。例えば、反揺動軸側の端部側の挿通口部３３、４３、５３、６３のみに対応してもよい。
【産業上の利用可能性】
【００３１】
本発明は上記のいずれの実施例にも限定されるものではなく、本発明の趣旨を逸脱しない限りにおいて種々に変更することが可能である。
【図面の簡単な説明】
【００３２】
【図１】本発明の第１の実施例のカバー３０が開口装置に装着された状態を示し、織        機の右側から視た側面図であり、切断面を一部含む。
【図２】カバー３０の拡大図である。
【図３】本発明の第２の実施例のカバー４０を示す。
【図４】本発明の第３の実施例のカバー５０を示す。
【図５】本発明の第４の実施例のカバー６０を示す。
【図６】従来のカバーを示す。
【符号の説明】
【００３３】
１      第１揺動軸
２      第２揺動軸
３      第１揺動レバー
３ａ    連結部
３ｂ    アーム部
３ｃ    基部
４      第２揺動レバー
４ａ    連結部
４ｂ    アーム部
４ｃ    基部
５      第１ロッド
６      第３ロッド
７      第５ロッド
８      第２ロッド
９      第４ロッド
１０    第６ロッド
１１    軸受け部材
１１ａ  軸受け部
１１ｂ  ロッド連結部
２０    ボルト
２１    キー
２２    ボルト
２３    ナット
３０    カバー
３１    ベース
３２    変形部
３２ａ  蛇腹状座
３２ｂａ  独立蛇腹状部分
３２ｂｂ  独立蛇腹状部分
３２ｂｃ  独立蛇腹状部分
３３    挿通口部
４０    カバー
４１    ベース
４２    変形部
４２ａ  独立蛇腹状部分
４２ｂ  独立蛇腹状部分
４２ｃ  独立蛇腹状部分
４３    挿通口部
５０    カバー
５１    ベース
５２    変形部
５２ａ  蛇腹状座
５２ｂａ  独立蛇腹状部分
５２ｂｂ  独立蛇腹状部分
５２ｂｃ  独立蛇腹状部分
５３    挿通口部
６０    カバー
６１    ベース
６２    変形部
６２ａ  揺動軸線方向蛇腹状部分
６２ｂａ  独立蛇腹状部分
６２ｂｂ  独立蛇腹状部分
６２ｂｃ  独立蛇腹状部分
６３    挿通口部
【図１】
2006225779.tif 000003
【図２】
2006225779.tif 000004
【図３】
2006225779.tif 000005
【図４】
2006225779.tif 000006
【図５】
2006225779.tif 000007
【図６】
2006225779.tif 000008